(57)【要約】【課題】本発明は、読取モジュールと、記録モジュールと、制御モジュールと、を含む一種のデジタルビデオ編集装置である。【解決手段】読取モジュールは第一ファイルシステムに応じる第一記憶媒介に保存されるデータを読み取りでき、記録モジュールは読取られるデータを第二ファイルシステムに応じる第二記憶媒介に書込みできる。制御モジュールは、上記第一ファイルシステムと上記第二ファイルシステムの間のデータを転写するために設けられる転写ユニットと、ＭＰＥＧストリーム（Ｓｔｒｅａｍ）を圧縮するために設けられるＭＰＥＧ圧縮装置と、を含むモジュールである。メモリカードに保存される影像ファイルは、メモリカードを差し入れるカード読取り装置により、ＭＰＥＧファイルになるように圧縮したり、編集したりバックアップして、ＶＣＤ／ＤＶＤ／ＳＶＣＤのプレイヤーで再生できるように製作する。【選択図】        図１
2004173227.tif 000002
【特許請求の範囲】
【請求項１】
第一記憶媒介に記憶されるデータを読取る読取モジュールと、
上記読取モジュールに連結し、上記第一ファイルシステムに応じる第一記憶媒介に記憶されるデータを、上記第一ファイルシステムと異なる第二ファイルシステムに応じる上記第二記憶媒介のファイルフォーマットになるように転換する制御モジュールと、
上記制御モジュールで制御し、転換された後のデータを第二記憶媒介に書込む記録モジュールと、
からなることを特徴とする携帯式転写装置。
【請求項２】
上記第一記憶媒介は非揮発（ｎｏｎ−ｖｏｌａｔｉｌｅ）記憶媒介であり、上記第二記憶媒介は光学記憶媒介であることを特徴とする請求項１に記載の携帯式転写装置。
【請求項３】
上記非揮発記憶媒介はメモリカードであり、上記光学記憶媒介はコンパクトディスクであることを特徴とする請求項２に記載の携帯式転写装置。
【請求項４】
上記メモリカードの種類は、ＳＤカード（Ｓｅｃｕｒｅ  Ｄｉｇｉｔａｌ  Ｃａｒｄ）と、ＭＭＣ（Ｍｕｌｔｉｍｅｄｉａ  Ｃａｒｄ）と、コンパクトフラッシュカードタイプ１（Ｃｏｍｐａｃｔ  ＦＬＡＳＨ  Ｔｙｐｅ  １）と、コンパクトフラッシュカードタイプ２（Ｃｏｍｐａｃｔ  ＦＬＡＳＨ  Ｔｙｐｅ  ２）と、マイクロドライブ（Ｍｉｃｏｒｄｒｉｖｅ）と、メモリスティック（Ｍｅｍｏｒｙ  Ｓｔｉｃｋ）と、メモリスティックデュオ（Ｍｅｍｏｒｙ  Ｓｔｉｃｋ  Ｄｕｏ）と、メモリスティックプロ（Ｍｅｍｏｒｙ  Ｓｔｉｃｋ  Ｐｒｏ）と、ＳＭカード（Ｓｍａｒｔ  Ｍｅｄｉａ  Ｃａｒｄ）と、ＸＤカードと、を含むことを特徴とする請求項３に記載の携帯式転写装置。
【請求項５】
上記コンパクトディスクの種類は、ＣＤ−Ｒと、ＣＤ−ＲＷと、ＤＶＤ−Ｒと、ＤＶＤ−ＲＷと、ＤＶＤ＋ＲＷと、ＤＶＤ−ＲＡＭと、ＤＶＤ−Ｄｕａｌと、ＤＶＤ−Ｍｕｌｔｉと、を含むことを特徴とする請求項３に記載の携帯式転写装置。
【請求項６】
上記読取モジュールはメモリカード読取モジュールであり、上記記録モジュールはＣＤ−ＲまたはＣＤ−ＲＷであることを特徴とする請求項５に記載の携帯式転写装置。
【請求項７】
上記制御モジュールは、マイクロプロセッサー（Ｍｉｃｒｏｐｒｏｃｅｓｓｏｒ）と、このマイクロプロセッサーに連結するメモリと、を有することを特徴とする請求項１に記載の携帯式転写装置。
【請求項８】
上記制御モジュールはさらに、
上記第二記憶媒介の有効容量を検出する検出ユニットと、
上記第一記憶装置に記憶されるデータを、上記第二記憶装置においての第二データシステムのフォーマットになるように転換する転換ユニットと、
を有することを特徴とする請求項１に記載の携帯式転写装置。
【請求項９】
上記第一記憶媒介は光学記憶媒介であり、上記第二記憶媒介は非揮発記憶媒介であることを特徴とする請求項１に記載の携帯式転写装置。
【請求項１０】
上記非揮発記憶媒介はメモリカードであり、上記光学記憶媒介はコンパクトディスクであることを特徴とする請求項９に記載の携帯式転写装置。
【請求項１１】
上記メモリカードの種類は、ＳＤカード（Ｓｅｃｕｒｅ  ＤｉｇｉｔａｌＣａｒｄ）と、ＭＭＣ（Ｍｕｌｔｉｍｅｄｉａ  Ｃａｒｄ）と、コンパクトフラッシュカードタイプ１（Ｃｏｍｐａｃｔ  ＦＬＡＳＨ  Ｔｙｐｅ  １）と、コンパクトフラッシュカードタイプ２（Ｃｏｍｐａｃｔ  ＦＬＡＳＨ  Ｔｙｐｅ  ２）と、マイクロドライブ（Ｍｉｃｏｒｄｒｉｖｅ）と、メモリスティック（Ｍｅｍｏｒｙ  Ｓｔｉｃｋ）と、メモリスティックデュオ（Ｍｅｍｏｒｙ  Ｓｔｉｃｋ  Ｄｕｏ）と、メモリスティックプロ（Ｍｅｍｏｒｙ  Ｓｔｉｃｋ  Ｐｒｏ）と、ＳＭカード（Ｓｍａｒｔ  ＭｅｄｉａＣａｒｄ）と、ＸＤカードと、を含むことを特徴とする請求項１０に記載の携帯式転写装置。
【請求項１２】
上記コンパクトディスクの種類は、ＣＤ−Ｒと、ＣＤ−ＲＷと、ＤＶＤ−Ｒと、ＤＶＤ−ＲＷと、ＤＶＤ＋ＲＷと、ＤＶＤ−ＲＡＭと、ＤＶＤ−Ｄｕａｌと、ＤＶＤ−Ｍｕｌｔｉと、を含むことを特徴とする請求項１０に記載の携帯式転写装置。
【請求項１３】
上記携帯式転写装置はさらにコンピューターに連結するための連結モジュールを有することを特徴とする請求項８に記載の携帯式転写装置。
【請求項１４】
上記連結モジュールはＵＳＢコネクターであることを特徴とする請求項１３に記載の携帯式転写装置。
【請求項１５】
制御指令または操作指令を入力するための入力モジュールを有することを特徴とする請求項１に記載の携帯式転写装置。
【請求項１６】
上記携帯式転写装置の取り扱い状態を表示するための表示モジュールを有することを特徴とする請求項１に記載の携帯式転写装置。
【請求項１７】
上記マイクロプロセッサーにアクセスして、転写されるデータと上記第一記憶媒介に記憶されるデータとを比較するための比較モジュールを有することを特徴とする請求項１に記載の携帯式転写装置。
【請求項１８】
第一記憶媒介に記憶されるデータを読取る読取モジュールと、
上記読取モジュールに連結し、上記第一記憶媒介に記憶されるデータを、第二記憶媒介のファイルフォーマットになるように転換する制御モジュールと、
上記制御モジュールで制御し、転換された後のデータを第二記憶媒介に書込む記録モジュールと、からなり
上記第一記憶媒介に応じる第一ファイルシステムは、上記第二記憶媒介に応じる第二ファイルシステムと異なるファイルシステムであることを特徴とする携帯式転写装置。
【請求項１９】
上記第一記憶媒介の種類はＣＤ−Ｒと、ＣＤ−ＲＷと、ＤＶＤ−Ｒと、ＤＶＤ−ＲＷと、ＤＶＤ＋ＲＷと、ＤＶＤ−ＲＡＭと、ＤＶＤ−Ｄｕａｌと、ＤＶＤ−Ｍｕｌｔｉと、を含むことを特徴とする請求項１８に記載の携帯式転写装置。
【請求項２０】
上記第二記憶媒介の種類はＣＤ−Ｒと、ＣＤ−ＲＷと、ＤＶＤ−Ｒと、ＤＶＤ−ＲＷと、ＤＶＤ＋ＲＷと、ＤＶＤ−ＲＡＭと、ＤＶＤ−Ｄｕａｌと、ＤＶＤ−Ｍｕｌｔｉと、を含むことを特徴とする請求項１８に記載の携帯式転写装置。
【請求項２１】
上記制御モジュールは、マイクロプロセッサー（Ｍｉｃｒｏｐｒｏｃｅｓｓｏｒ）と、このマイクロプロセッサーに連結するメモリと、を有することを特徴とする請求項１８に記載の携帯式転写装置。
【請求項２２】
上記制御モジュールはさらに、
上記第二記憶媒介の有効容量を検出する検出ユニットと、
上記第一記憶装置に記憶されるデータを、上記第二記憶装置においての第二データシステムのフォーマットになるように転換する転換ユニットと、
を有することを特徴とする請求項１８に記載の携帯式転写装置。
【請求項２３】
上記携帯式転写装置はさらにコンピューターに連結するための連結モジュールを有することを特徴とする請求項１８に記載の携帯式転写装置。
【請求項２４】
上記連結モジュールはＵＳＢコネクターであることを特徴とする請求項２３に記載の携帯式転写装置。
【請求項２５】
制御指令または操作指令を入力するための入力モジュールを有することを特徴とする請求項１８に記載の携帯式転写装置。
【請求項２６】
上記携帯式転写装置の取り扱い状態を表示するための表示モジュールを有することを特徴とする請求項１８に記載の携帯式転写装置。
【請求項２７】
上記マイクロプロセッサーにアクセスして、転写されるデータと上記第一記憶媒介に記憶されるデータとを比較するための比較モジュールを有することを特徴とする請求項１８に記載の携帯式転写装置。
【請求項２８】
ディジタル写真とデジタル効果音ファイルとを動画ファイルに混成すると共に、この動画ファイルをコンパクトディスクに書込む携帯式書込み装置において、
効果音ファイルを保存する効果音記憶ユニットと、
第一ファイルシステムに応じる第一記憶媒介であるメモリカードに保存されるディジタル写真を読込むカード読み取りモジュールと、
第一ファイルシステムと異なる第二ファイルシステムに応じる第二記憶媒介である光学記憶媒介にデータを書き込むことができる記録モジュールと、
上記読み取り装置と書き込み装置とを連結し、読み取りと書き込み作業を制御する制御ユニットと、
上記制御ユニットに連結し、デジタルデータを第一ファイルシステムと第二ファイルシステムの間に転換する転換ユニットと、
上記ディジタル写真の書込み装置を操作する操作ユニットと、
上記制御ユニットに連結し、デジタルファイルを逆圧縮する逆圧縮ユニットと、
上記制御ユニットに連結し、上記逆圧縮ユニットによって逆圧縮されるデジタルファイルの中で、少なくとも一つのデジタルファイルを利用して動画ファイルを産生する動画産生ユニットと、
上記制御ユニットに連結し、上記動画産生ユニットによって産生する動画ファイルをビデオストリーム（Ｖｉｄｅｏ  Ｓｔｒｅａｍ）になるように圧縮する動画圧縮ユニットと、
上記制御ユニットに連結し、効果音記憶ユニットに保存されるデジタル効果音ファイルと、動画圧縮ユニットで出力するデジタルファイルとを混成する混成ユニットと、
上記効果音記憶ユニットと、読み取りモジュールと、記録モジュールと、制御ユニットと、転換ユニットと、操作ユニットと、逆圧縮ユニットと、動画産生ユニットと、動画圧縮ユニットと、混成ユニットと、を囲んで封入し、一側に非揮発性記憶媒介を差し入れるために設ける第一受け取り口及び他の一側に光学記憶媒介を差し入れるために設ける第二受け取り口を有するケースと、からなり
上記操作ユニットは上記ケースの表面に設け、
上記操作ユニットを通じて、ウァンクリック（Ｏｎｅ  Ｃｌｉｃｋ）で、上記効果音記憶ユニットと、読み取りモジュールと、記録モジュールと、制御ユニットと、転換ユニットと、逆圧縮ユニットと、動画産生ユニットと、動画圧縮ユニットと、混成ユニットとに応じる作業を起動し書き込み動作を行うことができることを特徴とする携帯式書込み装置。
【請求項２９】
混成ユニットの利用するために少なくとも一つの効果音ファイルを記憶する制御ユニットに連結する記憶ユニットを有することを特徴とする請求項２８に記載の携帯式書込み装置。
【請求項３０】
上記記憶ユニットはカード読み取り装置により読み取ることができる非揮発性記憶媒介であることを特徴とする請求項２８に記載の携帯式書込み装置。
【請求項３１】
上記制御ユニットは少なくとも一つの選ばれる効果音ファイルを上記混成ユニットに転送することを特徴とする請求項２９に記載の携帯式書込み装置。
【請求項３２】
上記制御ユニットは少なくとも一つの選ばれる転換したＭＰＥＧフォーマットのファイルを上記動画産生ユニットに転送することを特徴とする請求項２９に記載の携帯式書込み装置。
【請求項３３】
上記制御ユニットに連結し、上記携帯式書込み装置とコンピューターの間のデータを転送するために設けられる連結器を備えることを特徴とする請求項２８に記載の携帯式書込み装置。
【請求項３４】
上記制御ユニットとアクセスし、上記第一記憶媒介に記憶されるデータと、上記第二記憶媒介に転写されるデータとを比較して、転写過程にエラーの有無を判断する比較ユニットを備えることを特徴とする請求項２８に記載の携帯式書込み装置。
【請求項３５】
請求項２８に記載する携帯式書込み装置によりディジタルファイルの書き込まれるコンパクトディスクを製作するビデオディスク製作方法において、
デジタルファイルを保存する非揮発性記憶媒介を、上記読み取りモジュールに置き入れる工程と、
光学記憶媒介を、上記記録モジュールに置き入れる工程と、
上記操作ユニットを通じて、ウァンクリック（Ｏｎｅ  Ｃｌｉｃｋ）で、上記効果音記憶ユニットと、読み取りモジュールと、記録モジュールと、制御ユニットと、転換ユニットと、逆圧縮ユニットと、動画産生ユニットと、動画圧縮ユニットと、混成ユニットとに応じる作業を起動し書き込み動作を行う工程と、
を含むことを特徴とするビデオディスク製作方法。
【請求項３６】
上記操作ユニットを通じて、少なくとも一つの選ばれる効果音ファイルを上記混成ユニットに転送することを特徴とする請求項３５に記載のビデオディスク製作方法。
【請求項３７】
上記操作ユニットを通じて、少なくとも一つの選ばれる転換したＭＰＥＧフォーマットのファイルを上記動画産生ユニットに転送することを特徴とする請求項３５に記載のビデオディスク製作方法。
【請求項３８】
上記携帯式書込み装置によって読込まれるディジタル写真は、上記コンパクトディスクにバックアップすることができることを特徴とする請求項３５に記載のビデオディスク製作方法。
【請求項３９】
請求項３０に記載する携帯式書込み装置によりディジタルファイルの書き込まれるコンパクトディスクを製作するビデオディスク製作方法において、
デジタルファイルを保存する非揮発性記憶媒介を、上記読み取りモジュールに置き入れる工程と、
光学記憶媒介を、上記記録モジュールに置き入れる工程と、
上記操作ユニットを通じて、ウァンクリック（Ｏｎｅ  Ｃｌｉｃｋ）で、上記効果音記憶ユニットと、読み取りモジュールと、記録モジュールと、制御ユニットと、転換ユニットと、逆圧縮ユニットと、動画産生ユニットと、動画圧縮ユニットと、混成ユニットとに応じる作業を起動し書き込み動作を行う工程と、
を含むことを特徴とするビデオディスク製作方法。
【請求項４０】
上記操作ユニットを通じて、少なくとも一つの選ばれる効果音ファイルを上記混成ユニットに転送することを特徴とする請求項３９に記載のビデオディスク製作方法。
【請求項４１】
上記操作ユニットを通じて、少なくとも一つの選ばれる転換したＭＰＥＧフォーマットのファイルを上記動画産生ユニットに転送することを特徴とする請求項３９に記載のビデオディスク製作方法。
【請求項４２】
上記携帯式書込み装置によって読込まれるディジタル写真は、上記コンパクトディスクにバックアップすることができることを特徴とする請求項３９に記載のビデオディスク製作方法。
【請求項４３】
請求項２８に記載する携帯式書込み装置を用いて、ビデオディスクを製作するビデオディスク製作方法において、
読取モジュールによって、第一ファイルシステムに応じる非揮発性保存媒介に保存される複数の映像ファイルを読み取る工程と、
記録モジュールによって、デジタルデータを第一ファイルシステムと異なる第二ファイルシステムに応じる光学記憶媒介に書き込む工程と、
上記読取モジュールと記録モジュールに連結する制御ユニットによって、読み取りと書込みを制御する工程と、
上記制御ユニットに連結する効果音記憶ユニット（Ｓｔｏｒａｇｅ  Ｕｎｉｔ）によって、複数の効果音ファイルを保存する工程と、
制御ユニットに連結する転換ユニットによって、データを第一ファイルシステムと第二システムの間に転換する工程と、
制御ユニットに連結する操作ユニットによって、使用者の操作に応じて携帯式書込み装置を操作する工程と、
制御ユニットに連結する逆圧縮ユニットによって、複数の映像ファイルを逆圧縮する工程と、
上記制御ユニットに連結する動画産生ユニットによって、上記逆圧縮ユニットで逆圧縮されるデジタルファイルの中で、少なくとも一つのデジタルファイルを利用して動画ファイルを産生する工程と、
上記制御ユニットに連結する動画圧縮ユニットによって、上記動画産生ユニットで産生する動画ファイルをビデオストリーム（Ｖｉｄｅｏ  Ｓｔｒｅａｍ）になるように圧縮する工程と、
上記制御ユニットに連結する混成ユニットによって、上記効果音記憶ユニットに保存されるデジタル効果音ファイルと、動画圧縮ユニットで出力するデジタルファイルとを混成する工程と、
一側に非揮発性記憶媒介を差し入れるために設ける第一受け取り口及び他の一側に光学記憶媒介を差し入れるために設ける第二受け取り口を備えるケースによって、上記読み取りモジュールと、記録モジュールと、制御ユニットと、転換ユニットと、操作ユニットと、逆圧縮ユニットと、動画産生ユニットと、動画圧縮ユニットと、混成ユニットと、を囲んで封入する工程と、
上記操作ユニットを通じて、ウァンクリック（Ｏｎｅ  Ｃｌｉｃｋ）で、上記記録モジュールと、制御ユニットと、転換ユニットと、映像逆圧縮装置と、動画産生ユニットと、動画圧縮ユニットと、混成ユニットと、に応じる作業を起動し書き込み動作を行う工程と、
を含むことを特徴とするビデオディスク製作方法。
【請求項４４】
上記操作ユニットによって、効果音と映像を混成するための複数の効果音ファイルの中で混成しようとする効果音ファイルを選択する工程、
をさらに含むことを特徴とする請求項４３に記載のビデオディスク製作方法。
【請求項４５】
上記読取モジュールによって非揮発性記憶媒介に保存される複数の効果音ファイルを読み取る工程と、
上記操作ユニットによって、効果音と映像を混成するための上記複数の効果音ファイルの中で、混成しようとする効果音ファイルを選択する工程と、
をさらに含むことを特徴とする請求項４３に記載のビデオディスク製作方法。
【請求項４６】
転換したＭＰＥＧフォーマットのファイルの中で、少なくとも一つのＭＰＥＧフォーマットのファイルは選ばれて上記動画産生ユニットに転送する工程をさらに含むことを特徴とする請求項４３に記載のビデオディスク製作方法。
【請求項４７】
読取モジュールと、記録モジュールと、制御ユニットと転送ユニットと、に応じる作業を起動し、コンパクトディスクに複数の映像ファイルをバックアップする工程をさらに含むことを特徴とする請求項４３に記載のビデオディスク製作方法。
【請求項４８】
複数のデジタルファイルを動態的に編集しコンパクトディスクに書き込むデジタルビデオ編集システムにおいて、
各ファイルセクションの初期位置と終結位置を記録し、第一インフォメーションを産生するために設けられる読出し装置と、
上記第一インフォメーションを用いて、書き込みできる標的コンパクトディスクのフォーマットに応じる第二インフォメーションを産生するために設けられる編成装置と、
上記第二インフォメーションを標的コンパクトディスクに書き込んでから、上記第一インフォメーションによってソースコンパクトディスク（Ｓｏｕｒｃｅ  Ｃｏｍｐａｃｔ  Ｄｉｓｋ）から指定されるセクションを読み取って、この読み取られるセクションのヘッディングとエラー検知コードを適当に補正してから、上記標的コンパクトディスクに書き込むために設けられる書込み装置と、
からなることを特徴とするデジタルビデオ編集システム。
【請求項４９】
上記読出し装置は、さらに上記セクションを読み出すために設けられるオペレーションインターフェースを備えることを特徴とする請求項４８に記載のデジタルビデオ編集システム。
【請求項５０】
上記第一インフォメーションはデータストリーム（Ｄａｔａ  Ｓｔｒｅａｍ）であることを特徴とする請求項４８に記載のデジタルビデオ編集システム。
【請求項５１】
上記データストリームはさらに複数のセクションを有することを特徴とする請求項５０に記載のデジタルビデオ編集システム。
【請求項５２】
上記第二インフォメーションは、標的コンパクトディスクにおいてのファイルシステムとデジタルビデオコンパクトディスクインフォメーション（ｖｉｄｅｏ  ｃｏｍｐａｃｔ  ｄｉｓｋ  ｉｎｆｏｒｍａｔｉｏｎ）を含むことを特徴とする請求項４８に記載のデジタルビデオ編集システム。
【請求項５３】
複数のデジタルファイルを動態的に編集し標的コンパクトディスクに書き込むデジタルビデオ編集方法において、
読出し装置によって、各ファイルセクションの初期位置と終結位置を記録する工程と、
読出し装置によって、第一インフォメーションを産生する工程と、
編成装置によって、上記第一インフォメーションを用いて、書き込みできる標的コンパクトディスクのフォーマットに応じる第二インフォメーションを産生する工程と、
書込み装置によって、上記第二インフォメーションを標的コンパクトディスクに書き込む工程と、
書込み装置によって、上記第一インフォメーションでソースコンパクトディスク（Ｓｏｕｒｃｅ  Ｃｏｍｐａｃｔ  Ｄｉｓｋ）から指定されるセクションを読み取って、この読み取られるセクションのヘッディングとエラー検知コードを適当に補正してから、上記標的コンパクトディスクに書き込む工程と、
を含むことを特徴とするデジタルビデオ編集方法。
【請求項５４】
上記第一インフォメーションはデータストリーム（Ｄａｔａ
Ｓｔｒｅａｍ）であることを特徴とする請求項５３に記載のデジタルビデオ編集方法。
【請求項５５】
上記データストリームはさらに複数のセクションを有することを特徴とする請求項５４に記載のデジタルビデオ編集方法。
【請求項５６】
上記第二インフォメーションは、標的コンパクトディスクにおいてのファイルシステムとデジタルビデオコンパクトディスクインフォメーション（ｖｉｄｅｏ  ｃｏｍｐａｃｔ  ｄｉｓｋ  ｉｎｆｏｒｍａｔｉｏｎ）を含むことを特徴とする請求項５３に記載のデジタルビデオ編集方法。
【請求項５７】
複数のデジタルファイルを動態的に編集しコンパクトディスクに書き込むデジタルビデオ編集システムにおいて、
オペレーションインタフェースによって、各ファイルセクションの初期位置と終結位置を記録し、第一インフォメーションを産生するために設けられる読出し装置と、
上記第一インフォメーションを用いて、書き込みできる標的コンパクトディスクのフォーマットに応じるファイルシステムとデジタルビデオコンパクトディスクインフォメーションを産生するために設けられる編成装置と、
上記ファイルシステムとデジタルビデオコンパクトディスクインフォメーションを標的コンパクトディスクに書き込んでから、上記第一インフォメーションによってソースコンパクトディスク（Ｓｏｕｒｃｅ  Ｃｏｍｐａｃｔ  Ｄｉｓｋ）から指定されるセクションを読み取って、この読み取られるセクションのヘッディングとエラー検知コードを適当に補正してから、上記標的コンパクトディスクに書き込むために設けられる書込み装置と、
からなることを特徴とするデジタルビデオ編集システム。
【請求項５８】
上記第一インフォメーションはデータストリーム（Ｄａｔａ
Ｓｔｒｅａｍ）であることを特徴とする請求項５７に記載のデジタルビデオ編集システム。
【請求項５９】
上記データストリームはさらに複数のセクションを有することを特徴とする請求項５８に記載のデジタルビデオ編集システム。
【請求項６０】
複数のデジタルファイルを動態的に編集し標的コンパクトディスクに書き込むデジタルビデオ編集方法において、
読出し装置によって、各ファイルセクションの初期位置と終結位置を記録すると共に、第一インフォメーションを産生する工程と、
編成装置によって、上記第一インフォメーションを用いて、書き込みできる標的コンパクトディスクのフォーマットに応じるファイルシステムとデジタルビデオコンパクトディスクインフォメーションを産生する工程と、
書込み装置によって、上記ファイルシステムとデジタルビデオコンパクトディスクインフォメーションを標的コンパクトディスクに書き込む工程と、
書込み装置によって、上記第一インフォメーションでソースコンパクトディスク（Ｓｏｕｒｃｅ  Ｃｏｍｐａｃｔ  Ｄｉｓｋ）から指定されるセクションを読み取る工程と、
書込み装置によって、この読み取られるセクションのヘッディングとエラー検知コードを適当に補正してから、上記標的コンパクトディスクに書き込む工程と、
を含むことを特徴とするデジタルビデオ編集方法。
【請求項６１】
上記第一インフォメーションはデータストリーム（Ｄａｔａ
Ｓｔｒｅａｍ）であることを特徴とする請求項６０に記載のデジタルビデオ編集方法。
【請求項６２】
上記データストリームはさらに複数のセクションを有することを特徴とする請求項６０に記載のデジタルビデオ編集方法。
【請求項６３】
複数のデジタルファイルを動態的に編集しコンパクトディスクに書き込むデジタルビデオ編集ソフトウェアシステムにおいて、
デジタルビデオのセクションを読み取って、ディスプレーにオペレーションウィンドー（Ｏｐｅｒａｔｉｏｎ  Ｗｉｎｄｏｗ）で表示するメインプログラムと、
各ファイルセクションの初期位置と終結位置を記録し、複数の第一インフォメーションを産生する読出しプログラムと、
上記第一インフォメーションを用いて、書き込みできる標的コンパクトディスクのフォーマットに応じる第二インフォメーションを産生する編成プログラムと、
上記第二インフォメーションを標的コンパクトディスクに書き込んでから、上記第一インフォメーションによってソースコンパクトディスク（Ｓｏｕｒｃｅ  Ｃｏｍｐａｃｔ  Ｄｉｓｋ）から指定されるセクションを読み取って、この読み取られるセクションのヘッディングとエラー検知コードを適当に補正してから、上記標的コンパクトディスクに書き込む書込みプログラムと、からなり、
上記メインプログラムはオペレーションインタフェース（Ｏｐｅｒａｔｉｏｎ  Ｉｎｔｅｒｆａｃｅ）によって上記読出しプログラムを呼出し、上記読出しプログラムは上記第一インフォメーションの産生によって上記編成プログラムを呼出し、上記編成プログラムは上記第二インフォメーションの産生によって上記書込みプログラムを呼出すことを特徴とするデジタルビデオ編集ソフトウェアシステム。
【請求項６４】
上記第一インフォメーションはデータストリーム（Ｄａｔａ  Ｓｔｒｅａｍ）であることを特徴とする請求項６３に記載のデジタルビデオ編集ソフトウェアシステム。
【請求項６５】
上記データストリームはさらに複数のセクションを有することを特徴とする請求項６０に記載のデジタルビデオ編集ソフトウェアシステム。
【請求項６６】
上記第二インフォメーションは、標的コンパクトディスクにおいてのファイルシステムとデジタルビデオコンパクトディスクインフォメーション（ｖｉｄｅｏ  ｃｏｍｐａｃｔ  ｄｉｓｋ  ｉｎｆｏｒｍａｔｉｏｎ）を含むことを特徴とする請求項６３に記載のデジタルビデオ編集ソフトウェアシステム。
【請求項６７】
複数のデジタルファイルを一括編集し、コンパクトディスクに書き込むデジタルビデオ編集システムにおいて、
少なくとも一つのソースディスク（Ｓｏｕｒｃｅ  Ｄｉｓｋ）の初期位置と終結位置を記録し、インフォメーションを産生するために設けられる読出し装置と、
上記インフォメーションを標的コンパクトディスクの予定保留位置に書き込んでから、上記インフォメーションによってソースコンパクトディスク（Ｓｏｕｒｃｅ  Ｃｏｍｐａｃｔ  Ｄｉｓｋ）から指定されるセクションを読み取って、この読み取られるセクションのヘッディングとエラー検知コードを補正してから、上記標的コンパクトディスクに書き込むために設けられる書込み装置と、
からなることを特徴とするデジタルビデオ編集システム。
【請求項６８】
上記読出し装置は、さらに上記インフォメーションのセクションを読み出すオペレーションインタフェース（Ｏｐｅｒａｔｉｏｎ  Ｉｎｔｅｒｆａｃｅ）を備えることを特徴とする請求項６７に記載のデジタルビデオ編集システム。
【請求項６９】
上記インフォメーションは、複合セクション（Ｍｕｌｔｉ−Ｓｅｃｔｉｏｎ）に合う記録フォーマットであることを特徴とする請求項６７に記載のデジタルビデオ編集システム。
【請求項７０】
上記インフォメーションは、保留トラック（Ｒｅｓｅｒｖｅｄ  Ｔｒａｃｋ）に合う記録フォーマットであることを特徴とする請求項６７に記載のデジタルビデオ編集システム。
【請求項７１】
上記予定保留位置は、上記標的コンパクトディスクにおいて各デジタルビデオファイルの位置を記録するための初期トラックであることを特徴とする請求項６７に記載のデジタルビデオ編集システム。
【請求項７２】
複数のデジタルファイルを一括編集し、コンパクトディスクに書き込むデジタルビデオ編集方法において、
読出し装置によって、少なくとも一つのソースディスク（Ｓｏｕｒｃｅ  Ｄｉｓｋ）の初期位置と終結位置を記録し、インフォメーションを産生する工程と、
書込み装置によって、上記インフォメーションを標的コンパクトディスクの予定保留位置に書き込んでから、上記インフォメーションによってソースコンパクトディスク（Ｓｏｕｒｃｅ  Ｃｏｍｐａｃｔ  Ｄｉｓｋ）から指定されるセクションを読み取って、この読み取られるセクションのヘッディングとエラー検知コードを補正してから、上記標的コンパクトディスクに書き込む工程と、
を含むことを特徴とするデジタルビデオ編集方法。
【請求項７３】
上記読出し装置は、さらに上記インフォメーションのセクションを読み出すオペレーションインタフェース（Ｏｐｅｒａｔｉｏｎ  Ｉｎｔｅｒｆａｃｅ）を備えることを特徴とする請求項７２に記載のデジタルビデオ編集方法。
【請求項７４】
上記インフォメーションは、複合セクション（Ｍｕｌｔｉ−Ｓｅｃｔｉｏｎ）に合う記録フォーマットであることを特徴とする請求項７２に記載のデジタルビデオ編集方法。
【請求項７５】
上記インフォメーションは、保留トラック（Ｒｅｓｅｒｖｅｄ  Ｔｒａｃｋ）に合う記録フォーマットであることを特徴とする請求項７２に記載のデジタルビデオ編集システム。
【請求項７６】
上記予定保留位置は、上記標的コンパクトディスクにおいて各デジタルビデオファイルの位置を記録するための初期トラックであることを特徴とする請求項７２に記載のデジタルビデオ編集方法。
【発明の詳細な説明】
【０００１】
【発明が属する技術分野】
本発明は一種のデジタルビデオ編集装置に関し、特に使用者向け、携帯性を持ち、それに互いに異なるファイルシステムの間にデータの形式を転換してから、記憶媒介に書込むことができるデジタルビデオ編集装置である。
【０００２】
【従来の技術】
現在市販のデジタルファイル編集ソフトウェアにおいて、いろいろなデジタルビデオ編集ソフトウェアがあるが、殆どそのようなソフトウェアは単に書き込み、データ転送、データ圧縮、入力と出力、編集などの機能を有するものである。もし使用者が各コンパクトディスクにおいてのデジタルファイルの一部を取り出し、各取り出される一部のデジタルファイルを一括に編集したければ、市販のデジタルビデオ編集ソフトウェアを用いて操作するのはかなり面倒くさい。そのような課題を解決するために、本発明は一種のデジタルビデオ編集システムを提供し、このシステムによって、使用者が欲しがるデジタルビデオファイルを読み取ったり取り切ったりすることもできるし、この読み取ったり切り取ったりファイルを一括に編集してコンパクトデスクに書き込むこともできる装置である。
【０００３】
また、電子装置は携帯式化の傾向がある。電子ファイル、プログラムの複雑化と膨大化に応じ、従来のフロッピディスクの容量は不足になるため、いろいろな携帯式記憶媒介は開発され、従来のフロッピディスクを取り替える。いろいろな解決方法の中で、最も用いられたのはフラッシュメモリ（Ｆｌａｓｈ  Ｍｅｍｏｒｙ）である。フラッシュメモリはデータを消去したり書込んだりすることができるメモリであって、電圧の変化によって保存されるデータの内容を書き換えることができる。それに小体積、低消費電力、大容量の特性を持つため、現在フラッシュメモリは普及にデジタルカメラ、ＭＰ３プレイヤー、携帯情報端末（ＰＤＡ）などの携帯式電子装置に応用されている。このフラッシュメモリに関する市販製品の種類については、フラッシュメモリカード（ＣＦ  ｃａｒｄ）、ＳＭカード（Ｓｍａｒｔ  Ｍｅｄｉａ  ｃａｒｄ）、メモリスティック（Ｍｅｍｏｒｙ  Ｓｔｉｃｋ）などがある。
【０００４】
しかし、このような製品は値段が高いから、使用者にとって一時的なデータバックアップすることに対して最も経済的な取り扱い方式は、やはりメモリカードに保存されるデータをほかの記憶媒介にバックアップしたり移転したりすることにより、メモリカードを繰り返し使用する。
【０００５】
上記の理由に従って、従来の使用方法はコンピューターに接続するカード読み取り装置（ｃａｒｄ  ｒｅａｄｅｒ）によって、メモリカードに保存されたデータを読み取って、さらにコンピューターのハードディスク、コンパクトディスク、またはほかの記憶媒介にバックアップする。実に、容量と価格の配慮の下に、最も経済的な使用方式は、書込み装置（ＣＤ−Ｒ／Ｗ）でデータをコンパクトディスクに書込む。しかし、書込みソフトウェアの相関操作は複雑で、使用上は大変不便であるため、このようなソフトウェアに慣れない使用者にとっては、取り扱いも面倒くさいし、データ書込みの失敗率も高い。また、使用者がコンピューターなしの環境で携帯式電子装置（例えば、デジタルカメラ）を使う場合は、もしメモリカードの中のデータは一杯になれば、データをほかの記憶媒介にバックアップするのは無理になって、使用者にとっては、本当に困る状況になる。
【０００６】
また、もし使用者が撮ったデジタル写真をスライドまたは動画の形になるようにＶＣＤ／ＤＶＤ／ＳＶＣＤのプレイヤーで再生したい場合は、コンピューターを使わなければならない、コンピューターの操作も面倒くさいし、時間の無駄も大変である。
【０００７】
【発明が解決しようとする課題】
したがって、本発明はデジタルビデオ編集システムを提供することを一つの目的とする発明である。このシステムによって、使用者は各コンパクトディスクにおいてのデジタルファイルの一部を取り出してから、各取り出される一部のデジタルファイルを一括に編集してコンパクトディスクに書き込むことができる。さらに、このシステムの応用例として、使用者は各コンパクトディスクにおいてのデジタルファイルの一部をバッチファイル（Ｂａｔｃｈ  Ｆｉｌｅ）として取り出してから、各取り出される一部のデジタルファイルを一括に編集してコンパクトディスクに書き込むことができる。
【０００８】
もう一つの目的として、本発明はデジタルビデオ編集方法を提供する発明である。この方法によって、あらゆるデジタルビデオ編集システムを利用することができる。
【０００９】
【課題を解決するための手段】
上記デジタルビデオ編集システムは、読み出し（Ｃａｐｔｕｒｅ）装置と、編成（Ｆｏｒｍａｔ−ｍａｋｉｎｇ）装置と、書き込み（Ｂｕｒｎｉｎｇ）装置とを含むシステムである。上記読み出し装置はオペレーションインターフェース（ｏｐｅｒａｔｉｏｎ  ｉｎｔｅｒｆａｃｅ）を提供し上記あらゆる選択されるデジタルビデオファイルの初期位置と最終位置を記録して、上記デジタルビデオファイルをデータストリーム（Ｄａｔａ  Ｓｔｒｅａｍ）として編集する装置である。上記編成装置は、上記データストリームを通じて、上記コンパクトディスクのフォーマットに応じるファイルシステム及びコンパクトデスクのインフォメーションセクション（Ｉｎｆｏｒｍａｔｉｏｎ  Ｓｅｃｔｉｏｎ）とを産生する装置である。上記書き込み装置は、上記ファイルシステムとコンパクトデスクインフォメーションセクションをコンパクトディスクに書き込んでから、上記コンパクトデスク各各のインフォメーションセクションにおけるヘッディング（Ｈｅａｄｉｎｇ）とエラー検知コード（ｅｒｒｏｒ−ｄｅｔｅｃｔｉｎｇ  ｃｏｄｅ）を更新して上記データストリームに移入し、上記データストリームをコンパクトディスクに書き込む装置である。
【００１０】
また、本発明は上記の問題点を克服するために、上記デジタルビデオ編集装置の構造の下に、コンピューターによらずに、携帯性を持つ転写装置を提供することを目的とする発明である。
【００１１】
また、本発明である携帯式転写装置は、第一記憶媒介に保存されたデータを第二記憶媒介である光学記憶媒介に転写する装置である。光学記憶媒介に応じる第二ファイルシステムは、第一記憶媒介に応じる第一ファイルシステムと異なるファイルシステムである。
【００１２】
従って、下記の実施例の中で、本発明は制御モジュールと、読取モジュールと、記録モジュールとを含む。
【００１３】
制御モジュールは制御ユニットと、検出ユニットと、転換ユニットとを備える。第一記憶媒介に保存されるデータは制御ユニットにより受信される。検出ユニットは制御ユニットにアクセスするために上記光学記憶媒介の有効容量を検出する装置である。転換ユニットは制御ユニットのアクセスするために、第一記憶媒介に応じるファイルシステムに保存されたデータを、光学記憶媒介に応じるファイルシステムのデータになるように転換する装置である。
読取モジュールは、第一記憶媒介に保存されたデータを読取ってから、制御ユニットへ送信する装置である。
記録モジュールは転換されてからのデータを受信して、光学記憶媒介に記録する装置である。
【００１４】
この実施例において、制御モジュールはさらに影像逆圧縮ユニットと、動画産生ユニットと、影像圧縮ユニットと、影像音声混成ユニットと、を備える。上記四つのユニットによって、第一記憶媒介に保存された影像ファイルは、自動的に編集されたり、第二記憶媒介に書込まれたりして、ＶＣＤ／ＤＶＤ／ＳＶＣＤのプレイヤーで再生できるようになる。
【００１５】
【発明の実施の形態】
本発明の技術内容は、以下の図式を参照し、詳しく説明する。
【００１６】
図１は本発明であるデジタルビデオ編集装置におけるシステム構造である。このシステム構造は、オペレーションインターフェース１００と、記録ファイル１０４と、読出し装置１０１と、編成装置１０２と、書込み装置１０３と、第二記憶媒介である書き込むためのコンパクトディスク１０５と、を含む。上記構造によって、オペレーションインターフェース１００と記録ファイル１０４は読出し装置１０１に連結し、読出し装置１０１は編成装置１０２に連結し、編成装置１０２は書込み装置１０３に連結し、書込み装置１０３はコンパクトディスク１０５を書き込むための装置（この図に表示しない）に連結する。
【００１７】
図２は読出し装置１０１の操作を表示する説明図である。図２において、読出し装置１０１はオペレーションインターフェース１００または記録ファイル１０４によって各ファイルセクションの初期位置と終結位置を記録すると共に、上記記録を読出し装置１０１のバッファーセクション（Ｂｕｆｆｅｒ  Ｓｅｃｔｉｏｎ）２００に保存する。
【００１８】
図３は編成装置１０２の操作を表示する説明図である。編成装置１０２は読出し装置１０１におけるバッファーセクション２００に保存される複数のファイルセクション（Ｆｉｌｅ  Ｓｅｃｔｉｏｎ）３０２によって、コンパクトディスクフォーマットのファイルシステム３００とデジタルビデオコンパクトディスクのインフォメーションセクション（Ｉｎｆｏｒｍａｔｉｏｎ  Ｓｅｃｔｉｏｎ）３０１を産生してから、書込み装置１０３に転送する。
【００１９】
図４は書込み装置１０３の操作方式を表示する説明図である。図４においては、上記書込み装置１０３によってファイルシステム３００とインフォメーションセクション３０１を予めコンパクトディスク１０５に書き込む。
【００２０】
図５は書込み装置１０３のもう一つの操作方式を表示する説明図である。図５においては、書込み装置１０３は少なくとも下記二つの機能を持つ。その一つはヘッディング（Ｈｅａｄｉｎｇ）とエラー検知コード（Ｅｒｒｏｒ  Ｄｅｔｅｃｔｉｎｇ  Ｃｏｄｅ）を補正する補正機能５００。もう一つは書込み機能５０１。書き込み装置１０３は読出し装置１０１と編成装置１０２の順にによって複数のファイルセクション３０２を読出し、そして補正機能５００によってヘッディングとエラー検知コードを補正してから、順にファイルセクション３０２をコンパクトディスク１０５に書き込む。
【００２１】
また、図６に示すように、デジタルビデオ編成方法は下記の手順（６００〜６０３）を含む。
【００２２】
手順６００：  各ファイルセクションの初期位置と終結位置を記録すると共に、データストリーム（Ｄａｔａ  Ｓｔｒｅａｍ）を形成する。
【００２３】
手順６０１：  上記データストリームによって、コンパクトディスクのフォーマットに応じるファイルシステム３００とインフォメーションセクション３０１を産生する。
【００２４】
手順６０２：ファイルシステム３００とインフォメーションセクション３０１をコンパクトディスク１０５に書き込むと共に、上記データストリームを読出し、コンパクトディスク１０５における各セクションのヘッディングとエラー検知コードを順に補正する。
【００２５】
手順６０３：順に上記データストリームをコンパクトディスク１０５に書き込む。
【００２６】
上記デジタルビデオ編集システムはソフトウェア構造に応用することができる。図７に示すように、このようなソフトウェアシステムは少なくともメインプログラム（Ｍａｉｎ  Ｐｒｏｇｒａｍ）７００と、読出し機能プログラム（Ｃａｐｔｕｒｅ  ＦｕｎｃｔｉｏｎＰｒｏｇｒａｍ）７０１と、編成機能プログラム（Ｆｏｒｍａｔ  Ｍａｋｉｎｇ  Ｆｕｎｃｔｉｏｎ  Ｐｒｏｇｒａｍ）７０２と、書込み機能プログラム（Ｂｕｒｎｉｎｇ  Ｆｕｎｃｔｉｏｎ  Ｐｒｏｇｒａｍ）７０３を含む。実施例においてのプログラムの呼出し方式は、メインプログラム７００で読出し機能プログラム７０１を呼出し、読出し機能プログラム７０１で編成機能プログラム７０２を呼出し、編成機能プログラム７０２で書込み機能プログラム７０３を呼出す。
【００２７】
また、書込み機能プログラム７０３は実行された後、メインプログラム７００へ戻る。
【００２８】
図８はメインプログラム７００と読出し機能プログラム７０１との間の操作関係を示す説明図である。
【００２９】
図８において、メインプログラム７００はディスプレー８００にオペレーションウィンドー（Ｏｐｅｒａｔｉｏｎ  Ｗｉｎｄｏｗ）８０１を産生する。読出し機能プログラム７０１によって、使用者は複数のデジタルビデオコンパクトディスクをオペレーションウィンドー８０１に再生すると共に、別別に上記複数のデジタルビデオコンパクトディスクに応じるセクションの初期位置と終結位置を記録することができる。読出し機能プログラム７０１は上記複数のセクションを記録してから、データストリーム８０３を産生しバッファーセクション（Ｂｕｆｆｅｒ  Ｓｅｃｔｉｏｎ）８０２に一時に保存し、または記録ファイル１０４で予め設定する複数セクションの初期位置と終結位置によってデータストリーム８０３を産生しバッファーセクション８０２に一時に保存する。
【００３０】
図９は読出し機能プログラム７０１と編成機能プログラム７０２との間の操作関係を示す説明図である。図９において、機能プログラム７０１は図８においての操作を完了してから、編成機能プログラム７０２を呼び出す。機能プログラム７０１は上記データストリーム８０３によって、コンパクトディスクのフォーマットに応じるファイルシステム（Ｆｉｌｅ  Ｓｙｓｔｅｍ）９００とデジタルビデオコンパクトディスク（Ｖｉｄｅｏ  ＣＤ）のインフォメーションセクション（Ｉｎｆｏｒｍａｔｉｏｎ  Ｓｅｃｔｉｏｎ）９０１を産生する。
【００３１】
図１０は書込み機能プログラムの操作を示す説明図である。図１０において、編成機能プログラム７０２は図９においての操作を完了してから、すなわちバッファーセクション８０２によって上記データストリーム８０３と、ファイルシステム９００と、インフォメーションセクション９０１とを一時に保存した後、書込み機能プログラム７０３を呼び出す。書込み機能プログラム７０３は、ＣＤＲＷ（書込み装置）の中でのコンパクトディスク１０５を確認してから、ファイルシステム９００と、インフォメーションセクション９０１とをコンパクトディスク１０５に予め書き込み、上記データストリーム８０３を読出し、コンパクトディスク１０５における各セクションのヘッディングとエラー検知コードを適当に補正してから、上記データストリーム８０３をコンパクトディスク１０５に書き込む。最後に使用者が編集するデジタルビデオコンパクトディスク１０５は出来上がる。
【００３２】
図１１は実施例であるデジタルビデオ編成システムの操作を示す説明図である。読出し装置１０１は記録ファイル（Ｒｅｃｏｒｄ  Ｆｉｌｅ）で予め設定される。上記読出し装置１０１は、複数のソースコンパクトディスク（Ｓｏｕｒｃｅ  Ｃｏｍｐａｃｔ  Ｄｉｓｋ）においての特定なセクションを読み出す。そして、読出し装置１０１と、編成装置１０２と、書込み装置１０３によって、上記複数のソースコンパクトディスクにおいての特定なセクションを直接にコンパクトディスク１０５に書き込む。或いは、読出し機能プログラム７０１と、編成機能プログラム７０２と、書込み機能プログラム７０３によって、上記複数のソースコンパクトディスクにおいての特定なセクションを直接にコンパクトディスク１０５に書き込んでもいい。
【００３３】
図１２を参照する。本発明の一つの実施例である携帯式転写装置０５は、第一記憶媒介０１に保存されたデータを、光学記憶媒介０２に転写する装置である。本実施例の中で、第一記憶媒介０１はメモリカードであり、そのメモリカードの種類はＣＦ（ｃｏｍｐａｃｔ  ｆｌａｓｈ）カード、ＳＭ（Ｓｍａｒｔ  Ｍｅｄｉａ）カード、メモリスティック（ｍｅｍｏｒｙ  ｓｔｉｃｋ）、ハンディドライブ（ｈａｎｄｙ  ｄｒｉｖｅ）、ＳＤ（ｓｅｃｕｒｉｔｙ  ｄｉｓｋ）カード、ＭＭＣ（ｍｕｌｔｉｍｅｄｉａ  ｃａｒｄ）カード、ＸＤカードなどの外部メモリである。光学記憶媒介０２はコンパクトディスクである。このコンパクトディスクは書込みできるコンパクトディスク（ＣＤ−Ｒ）、繰り返し書込みできるコンパクトディスク（ＣＤ−ＲＷ）、多重機能書込みできるコンパクトディスク（ＤＶＤ−Ｒ、ＤＶＤ−ＲＡＭ、ＤＶＤ−ＲＷ、ＤＶＤ＋ＲＷ）を含む。
【００３４】
図１３を参照する。異なる種類の記憶媒介０９は、異なるオペレーションシステム（ＯＳ）  ０８に用いられるため、または最初の記憶フォーマットによって規制するため、同じまたは異なるファイルシステム０８１（ｆｉｌｅ  ｓｙｓｔｅｍ）を存在する可能性がある。ファイルシステム０８１とは、オペレーションシステム０８と記憶媒介０９の間に位置するインターフェースである。例えば、使用者が応用プログラム０８２によって記憶媒介０９のファイルを読取る時に、オペレーションシステム０８におけるファイルシステム０８１がファイルを開ける。なぜならファイルシステム０８１は、ファイルに関する實体においての保存位置、目録、標示、及び相関ファイル構造などの情報を記録しておくことができる。
【００３５】
例を挙げて説明すると、Ｍｉｃｒｏｓｏｆｔ  会社のＤＯＳとＷｉｎｄｏｗｓオペレーションシステムは、ＦＡＴファイルシステム（ＦＡＴ１６とＦＡＴ３２を含む）を一部として採用する。Ｎｏｖｅｌｌ  会社のＵＮＩＸシステムはＵＦＳファイルシステムを一部として採用する。Ａｐｐｌｅ  コンピューター会社のマッキントッシュオペレーションシステム（Ｍａｃｉｎｔｏｓｈ  Ｏｐｅｒａｔｉｏｎ  Ｓｙｓｔｅｍ）はＨＦＳファイルシステムを一部として採用する。今頃Ｍｉｃｒｏｓｏｆｔ会社のＷｉｎｄｏｗｓオペレーションシステムはオペレーションシステムの主流であるから、市販のメモリカードは一般的にＦＡＴのファイルシステムをファイル構造としてデータを保存できるものである。
【００３６】
一方、コンパクトディスクもいろいろなファイルシステムがある。例えば、ＩＳＯ  ９６６０、Ｊｏｌｉｅｔ、Ｒｏｍｅｏ、またはＵＤＦ、をファイル構造としてファイルデータを記録できる。しかし、コンパクトディスクにおけるファイルシステムは、普通のコンピューターシステムにおけるオペレーションシステムのファイルシステムと比較すると、構造上もフォーマットもそっくりしないから、普通のパーソナルコンピューターを使う場合は、使用者がオペレーションシステムによってコンパクトディスクの中の情報を読取りできるため、オペレーションシステムにおいてはコンパクトディスクにおけるファイルシステムを転換できるプログラムをインストールしなければならない、そうすると、コンパクトディスクをパーソナルコンピューターに入れる時、コンパクトディスクはオペレーションシステムにおけるファイルシステムで用いられる記憶媒介として、データをアクセスされることができるものである。
【００３７】
図１２と図１４を参照し、下記の実施例において、本発明はコンピューターによらず携帯式転写装置０５を提供し、上記第一記憶媒介０１の中でのデータを光学記憶媒介０２に転写する。上記携帯式転写装置０５は、読取モジュール１０と、記録モジュール０２０と、制御モジュール０３０と、入力モジュール０４０と、表示モジュール０５０と、を含む装置である。
【００３８】
読取モジュール０１０は、第一記憶媒介０１に保存されるデータをアクセスするために設けられる。本実施例において、読取モジュール０１０はメモリカード連接器である。図１２に示すように、このメモリカード連接器においては、第一記憶媒介０１の差し入れための空間を有する。
【００３９】
記録モジュール０２０は、データを光学記憶媒介０２に書込み、または光学記憶媒介０２に保存されるデータを読取ってＩＤＥバス０７０により下記の制御ユニット０３０１に連結するために設けられる装置である。本実施例において、記録モジュール０２０はコンパクトディスク書込み装置（ＣＤ−Ｒ、ＣＤ−ＲＷ）または影音コンパクトディスク書込み装置（ＤＶＤ−ＲＷ）である。もちろん、光学記憶媒介０２は記録モジュール０２０を対応しなければならない。例えば、もしコンパクトディスク書込み装置（ＣＤ−Ｒ）を採用すれば、光学記憶媒介０２はＣＤ−Ｒしか他にならない、もしコンパクトディスク書込み装置（ＣＤ−ＲＷ）を採用すれば、光学記憶媒介０２はＣＤ−ＲまたはＣＤ−ＲＷになるものである。
【００４０】
制御モジュール０３０は、上記の読取モジュール０１０と、記録モジュール０２０とを連結すると共に、制御ユニット０３０１と、検出ユニット０３０２と、転換ユニット０３０３とを備える装置である。転換ユニット０３０３と検出ユニット０３０２は、制御ユニット０３０１に連結する。本実施例において、制御ユニット０３０１というのはマイクロコントローラー（ｍｉｃｒｏ−ｃｏｎｔｒｏｌｌｅｒ）である。例えば、Ｉｎｔｅｌ  ８０８６  微処理器を用いて、命令（ｉｎｓｔｒｕｃｔｉｏｎ）の読み出し（ｆｅｔｃｈ）、実行を行うと共に、読取モジュール０１０のデータを受信でき、記録モジュール０２０によって光学記憶媒介０２に書込むことなどの作業をコントロールすることができる。
【００４１】
検出ユニット０３０２は光学記憶媒介０２の有効容量を検出する装置である。すなわち、もし光学記憶媒介０２がデータを転写する前に、その内部に保存されるデータが残せば、検出ユニット０３０２はＡＴＡＰＩ／ＳＣＳＩ命令集におけるｒｅａｄ  ｄｉｓｃ  ｉｎｆｏｒｍａｔｉｏｎ  （その計算コードは５１ｈである）によって光学記憶媒介０２の有効空間を検出すると共に、ＡＴＡＰＩ／ＳＣＳＩ命令集におけるｒｅａｄ  ｃｈｅｃｋ／ｒｚｏｎｅ  ｉｎｆｏｒｍａｔｉｏｎ  （その計算コードは５２ｈである）によって次の書込みできる位置（ｎｅｘｔｗｒｉｔａｂｌｅ  ａｄｄｒｅｓｓ，  ＮＷＡ）を検出する。
【００４２】
転換ユニット０３０３は第一記憶媒介０１に応じる第一ファイルシステムで保存されるデータのフォーマットを、光学記憶媒介０２に応じる第二ファイルシステムになるように転換する装置である。
【００４３】
上記の記述により、データを第一記憶媒介０１に保存された時には、データのファイルフォーマットとしてＦＡＴのファイルシステムに保存される。したがって、データを光学記憶媒介０２に転写する際に、適當なフォーマットになるように転換しなければならない。この実施例において、データを転換して光学記憶媒介０２に記憶するのは、いずれのオペレーションシステムを適用するように、最も互換性を有するＩＳＯ  ９６６０ファイルシステムを採用する。
【００４４】
転換ユニット０３０３においての転換手順は以下のように示す。
【００４５】
図１５を参照する。まず、手順４１に示すように、読取モジュール０１０から第一記憶媒介０１におけるＦＡＴファイルシステムのファイル構造情報を読み出し、すなわち、第一記憶媒介０１におけるファイル配置表（ｆｉｌｅ  ｌｏｃａｔｉｏｎ  ｔａｂｌｅ，ＦＡＴ）から、どちらのクラスター（ｃｌｕｓｔｅｒ）にどのようなファイルを保存されることも、これに関する樹状構造（ｔｒｅｅ  ｓｔｒｕｃｔｕｒｅ）も明らかになる。この樹状構造はルート目録（ｒｏｏｔ  ｄｉｒｅｃｔｏｒｙ）と、ルートディレクトリ（Ｒｏｏｔ  Ｄｉｒｅｃｔｏｒｙ）と、ファイル（ｆｉｌｅ）とを含む。
【００４６】
手順４２は選択的な（ｏｐｔｉｏｎａｌ）手順であり、それは光学記憶媒介０２の樹状ファイル構造（例えば、ＩＳＯ  ９６６０  ファイルシステム）の情報を読み出すことである。もし光学記憶媒介０２は転写する前にその内部に残されるデータがあったら、使用者は上記検出ユニット０３０２によって光学記憶媒介０２におけるＩＳＯ  ９６６０ファイルシステムに関するデータが分かる。もしこの光学記憶媒介０２は転写する前にその内部にはなにもデータもなければ、いずれのファイルシステムに関する情報がない。
【００４７】
最後、手順４３と手順４４に示すように、第一記憶媒介０１における樹状構造の各節点は、上記光学記憶媒介０２における樹状構造の節点を合併すると共に、次の書込み位置によって樹状構造の属性を建ち直すれば、ＩＳＯ  ９６６０のファイルシステムになる。
【００４８】
また、転写する過程中エラーを避けるために、制御モジュール０３０はさらに比較ユニット０３０４を備える。比較ユニット０３０４は、第一記憶媒介０１のデータと、光学記憶媒介０２に転写されたデータと、を比較して、転写する過程中にエラーがあるか否かを判断する装置である。
【００４９】
さらに、本実施例における検出ユニット０３０２と、転換ユニット０３０３と、比較ユニット０３０４とはファームウェア（ｆｉｒｍｗａｒｅ）である。すなわち、検出ユニット０３０２と、転換ユニット３０３と、比較ユニット０３０４とはプログラムコードに編集されてから非揮発性（ｎｏｎ−ｖｉｏｌａｔｅ）メモリに植入してからＲＯＭ（Ｒｅａｄ  Ｏｎｌｙ  Ｍｅｍｏｒｙ）になるものである。従って、制御ユニット０３０１によって、検出ユニット３０２と、転換ユニット０３０３と、比較ユニット０３０４とを載入してから実行することができる。さらに、制御モジュール０３０は制御ユニット０３０１のアクセスするためのＲＡＭ０３０５をさらに備えれば、上記各手順の進みは加速することができる。
【００５０】
入力モジュール０４０は操控面板であり、制御ユニット０３０１に連結して、使用者が命令を入力して本発明である携帯式転写装置０５をコントロールする装置である。
【００５１】
使用上の配慮によって、入力モジュール０４０は三つの機能ボタンを設ける。その三つの機能ボタンは、電源発動ボタン０４０１、レコード（ＲＥＣ）ボタン０４０２、レコード／検査ボタン（ＲＥＣ／Ｃｈｅｃｋ）ボタン０４０３である。
【００５２】
表示モジュール０５０は制御ユニット０３０１に連結する。表示モジュール０５０によって、データの読取る状態と、データの記録される状態と、転写されるデータを比較してからの相関情報状態と、を表示することができる。例えば、電源の開閉状態とか、光学記憶媒介０２の容量が一杯になるかどうか、データ転写中などの状態などを表示することができる。本実施例において、コストと消費電力を節約するため、発光ダイオード（ＬＥＤ）を採用する。いろいろな情況に応じて異なる色の灯をつけたり点滅したりすることにより、使用者が使用状態の区別をつけることができる。
【００５３】
また、本発明である携帯式転写装置０５はコンピューターによらずに使用できるが、本発明はさらに連接モジュール０６０を含む実施例がある。本実施例において、連接モジュール０６０はＵＳＢ連接器であり、このＵＳＢ連接器によって本発明の装置はコンピューターと連接することができる。例えば、もし第一記憶媒介０１はコンピューターのオペレーションシステムのファイルシステムと同じになる場合になれば（例えば、ＦＡＴ）、転換ユニット０３０３の転換処理を要らないため、連接モジュール０６０を通じ直接に第一記憶媒介０１のデータをコンピューターにおけるハードディスクに転存し、そうすると、本発明は簡単にカード読み取り装置の機能を備えるようになる。
【００５４】
図１４と図１６を参照する。もし使用者がデータを転写する時、まず第一記憶媒介０１と光学記憶媒介０２を提供すれば、読取モジュール０１０と記録モジュール０２０を置き入れてから、入力モジュール０４０によって転写作業の進みをコントロールすることができる。例えば、転写／検査ボタン０４０３を押す時、手順５１に示すように、制御ユニット０３０１は読取モジュール０１０によって、第一記憶媒介０１をアクセスすると共に、第一記憶媒介０１の中のデータ量を検出することができる。
【００５５】
手順５２に示すように、検出ユニット０３０２は記録モジュール０２０を通じて光学記憶媒介０２を検出すると共に、ディスク情報（ｄｉｓｃ  ｉｎｆｏｒｍａｔｉｏｎ）と、ファイル及目録記録と、ルートディレクトリ（Ｒｏｏｔ  Ｄｉｒｅｃｔｏｒｙ）表と、次の書込み位置となどを読取り、光学記憶媒介０２の有効容量が第一記憶媒介０１のデータ量より大きいかどうかを判断する。もちろん、このオペレーションは実には制御ユニット０３０１によって、検出ユニット０３０２を構成する複数のプログラムコードをロードして実行する。
【００５６】
次に、手順５３において、もし光学記憶媒介０２の有効容量が第一記憶媒介０１のデータ量より大きければ、転換ユニット０３０３によって、第一記憶媒介０１のファイルフォーマットを転換する。すなわち、ＦＡＴのファイルシステムからＩＳＯ  ９６６０のファイルシステムになるように転換する。もちろん、実際的にファイルの内容は変換せず、単に記憶のヘッディングフォーマット（Ｈｅａｄｉｎｇ  Ｆｏｒｍａｔ）と記録方式を転換するだけである。転換の手順は上述のように説明したから、ここで再びの説明を省略する。
【００５７】
もし光学記憶媒介０２の有効容量が第一記憶媒介０１のデータ量より小さければ、光学記憶媒介０２を手順５４に示すように更新してから行う。
【００５８】
光学記憶媒介０２を更新してから、制御ユニット０３０１が手順５５に示すようにデータを記録モジュール０２０に転送し、記録モジュール０２０によって光学記憶媒介０２に書込む。さらに、本実施例において、記録モジュール０２０は多区段（ｍｕｌｔｉ−ｓｅｓｓｉｏｎ）の方式により、データを光学記憶媒介０２に書込む。すなわち、次の書込み位置を書込んでから、順に転換した後のＩＳＯ  ９６６０ファイルシステムのデータを書込み、このデータは主巻冊記述（ＰＶＤ：Ｐｒｉｍａｒｙ  Ｖｏｌｕｍｅ  Ｄｅｓｃｒｉｐｔｏｒ）と、最終巻記述（Ｖｏｌｕｍｅ  Ｄｅｓｃｒｉｐｔｏｒ  Ｓｅｔ  Ｔｅｒｍｉｎａｔｏｒ，  ＶＤＳＴ）と、ファイル及び目録記録と、ルートディレクトリ（Ｒｏｏｔ  Ｄｉｒｅｃｔｏｒｙ）表と、ファイルと、などを含み。最後に、終結区段（ｃｌｏｓｅ  ｓｅｓｓｉｏｎ）の書込み（すなわち、ｌｅａｄ  ｏｕｔを書込むこと）を実行してから、この区段の書込みを終了する。もしこの区段は開始区段ではなれば、この区段のファイルシステム記述は、前の区段のファイル位置の相関情報を含む。
【００５９】
多区段の書込み方式によって、この光学記憶媒介０２が余裕な容量がある場合は、次の書込みは書き込んだ区段を続いて、新たな区段を書込んで、充分に光学記憶媒介０２の容量を利用する。
【００６０】
最後に、手順５６に示すように、制御ユニット０３０１によって比較ユニット０３０４にアクセスすると共に、光学記憶媒介０２へ書込まれるデータと、第一記憶媒介０１に保存されるデータと、を照合して、結果が間違いないことを確認すれば転写の動作を終了する。この手順は本発明において選択的な手順であって、使用者がレコードボタン０４０２を押す場合は、本発明が上記の手順５１、５２、５３、５５を行うだけで、データの比較の手順を省略して全体的な作業時間を節約することができる。
【００６１】
上記諸操作手順において、いずれの手順の開始または終了は、制御ユニット０３０１によって信号を表示モジュール０５０に送信し、使用状態を示す。例えば、光学記憶媒介０２の容量不足を検出する場合は、紅光ＬＥＤを点滅して示す。書き込みを進んでいる場合は、緑光ＬＥＤを点滅して示す。
また、上記の説明は第一記憶媒介０１に保存されたデータを光学記憶媒介０２に書込むことで説明するが、実に、読取モジュール０１０（メモリカード連接器）も、記録モジュール０２０（コンパクトディスク書込み装置）も書き込み、読取りの二重機能を備えるため、もし光学記憶媒介０２のファイルシステムを第一記憶媒介０１に転換するファームウェアを備えば、光学記憶媒介０２のデータを第一記憶媒介０１に書き込みでき、さらに両方向（Ｔｗｏ  Ｗａｙ）のバックアップする機能ができるようになる。
【００６２】
つまり、本発明である携帯式転写装置は転換ユニット０３０３によって異なるファイルシステムを転換するため、コンピューターによらずに第一記憶媒介０１に保存されたデータを光学記憶媒介０２に書込まれ、繰り返し第一記憶媒介０１を利用しデータをバックアップし、さらに二方向のバックアップする機能を提供する。
【００６３】
さらに、連接モジュール０６０によって、コンピューターを接続して多機一体の機能を有するようになる。
【００６４】
図１７を参照して説明する。図１７はコンパクトディスクに対しての書き込みフローチャートである。この実施例においては、非揮発性記憶媒介（例えば、メモリスティック、フラッシュメモリカードなど）に保存される静態的なデジタルデータ（例えば、デジタル写真）を用いて、ＤＶＤ／ＶＣＤ／ＳＶＣＤプレイヤーで再生できる光学記憶媒介０２であるコンパクトディスクを作る。
【００６５】
このようなＤＶＤ／ＶＣＤ／ＳＶＣＤプレイヤーで再生できるコンパクトディスクを作るために、転写装置０５はさらに、効果音記憶ユニット０３１１と、影像逆圧縮ユニット０３１２と、動画産生ユニット０３１３と、動画圧縮ユニット０３１４と、混成ユニット０３１５と、を含む。上記いずれのユニットは制御ユニット０３０１に連結する。上記静態的なデジタルデータは、ＪＰＥＧと、ＴＩＦＦと、ほかのフォーマットなどのデジタル影像ファイルを含む。ＶＣＤを製作する場合は、動画圧縮ユニット０３１４はＭＰＥＧ１圧縮装置として操作する。ＳＶＣＤまたはＤＶＤを製作する場合は、動画圧縮ユニット０３１４はＭＰＥＧ２圧縮装置として操作する。第二実施例において、影像逆圧縮ユニット０３１２と、動画産生ユニット０３１３と、動画圧縮ユニット０３１４と、混成ユニット０３１５と、はいずれもプログラミングコード（Ｐｒｏｇｒａｍｍｉｎｇ  Ｃｏｄｅ）である。
【００６６】
図１８と図１９は、図１７に示す装置によって、ＤＶＤ／ＶＣＤ／ＳＶＣＤプレイヤーで再生できるコンパクトディスクを製作するフローチャートである。
【００６７】
図１８において、まず、手順１は、使用者が効果音記憶ユニット０３１１に保存された効果音を選んで、入力モジュール０４０と表示モジュール０５０によって操作することである。表示モジュール０５０は数字または文字を表示できる小さい表示装置である。入力モジュール０４０は、混成ユニット０３１５が読取りできるデジタル効果音ファイル（例えば、．ｗａｗ、  ．ａｉｆ、または．ｍｐ３）を検索し選ぶ。選ばれた効果音ファイルは光学記憶媒介０２にサウンドトラック（Ｓｏｕｎｄ  Ｔｒａｃｋ）を加える。効果音を動画に加入することによって、使用者は音声影像の効果をより一層楽しむことができる。このような効果音は予めに効果音ユニット０３１１に保存される。もし効果音ユニットはＲＯＭである場合、効果音ファイルは転換せずにそのままで利用できる。
【００６８】
この実施例においては、効果音ユニット０３１１はＭＭＣカードまたはＳＤカードのような非揮発性記憶モジュールであり、読取りモジュール０１０に差し入れ、同じように第一記憶媒介０１である非揮発性記憶媒介１にファイルを移転することができる。
【００６９】
そのほか、デジタル効果音ファイルがデジタル写真ファイルと共に非揮発性記憶媒介０１に保存される場合もある。この場合において、使用者が保存された効果音の中で自分が好む効果音を選んで携帯式転写装置０５に転送して書込むことができる。また、もしなにも効果音も選ばない場合は、書込まれたのは効果音なし動画ファイルだけのコンパクトディスクである。
【００７０】
効果音を選んでから、手順２においては、入力モジュール０４０と表示モジュール０５０によって、デジタル写真のフォーマットを動画のフォーマットになるように転換する。元のデジタル写真を動画の表現方式になるように転換するために、二つ毎のデジタル写真をフォーマット変換してから編集する必要がある。従来の表現方式は溶明（Ｆａｄｅ  ｉｎ）、溶暗（Ｆａｄｅ  ｏｕｔ）、重なり合い（Ｏｖｅｒｌａｐ）、剥げ落ち（Ｓｃａｌｅ  ｄｏｗｎ）、押し出し（ｐｕｓｈ）などの方式がある。例えば、もし右から押し出し（ｐｕｓｈ  ｆｒｏｍ  ｒｉｇｈｔ）の表現方式を選べば、二枚目のデジタル写真はモニターの表示範囲で右から一枚目の写真を押し出すように表現する。この実施例において、上記の表現方式はさらに二枚のデジタル写真の間の再生時間の時間間隔を設定することができる。
【００７１】
手順３においては、もし効果音も選ばれ、上記連続的な二枚のデジタル写真の編集も決定されば、使用者は上記デジタルファイルを携帯式転写装置０５によって圧縮して光学記憶媒介０２に書込む。さらに上記デジタルファイルの圧縮作業と書込み作業は、ウァンクリック（Ｏｎｅ  Ｃｌｉｃｋ）で完成するように設定できる。図１９を参照して説明する。図１９は影像と効果音のファイルを圧縮してコンパクトディスクに書込む順序である。
【００７２】
手順１においては、使用者がメモリカード０１を携帯式書き込み装置０５に差し入れてスタートボタンをクリックすると、制御ユニット０３０１は読取りユニットを通じて、メモリカード０１に保存されたデジタル写真を、一度に二枚ずつのデジタル写真をフォーマット変換してから編集するために読取る。
【００７３】
手順２においては、メモリカード０１から読取られたデジタル写真は、影像逆圧縮ユニット０３１２により、ＹＵＶフォーマットになるように逆圧縮する。ＪＰＥＧファイルを逆圧縮する場合には、ＣＣＩＴＴ  Ｔ．８１仕様とＩＳＯ／ＩＥＣ１０９１８−１仕様に従う。ＴＩＦＦファイルを逆圧縮する場合には、ＴＩＦＦ  ６．０仕様に従う。また、この手順２においては、デジタル写真のサイズの長寛比率は変換する必要がある。なぜならメモリカード０１に保存されたデジタル写真の長寛比率は、普通のテレビまたはディスプレーシステムに適用しない可能性がある。例えば、ＮＴＳＣの場合は、ＶＣＤにおいての画素は３５２×２４０に設定し、ＳＶＣＤとＤＶＤにおいての画素は７２０×４８０に設定する。
【００７４】
手順３においては、使用者は動画産生ユニット０３１３により、初期設定の動画表現方式または使用者が選んだ動画表現方式で、連続的な二つずつのＹＵＶファイルを編集して動画を産生する。産生された動画は、一連の動態的な背景（Ｆｒａｍｅｓ）として表現するＹＵＶフォーマットファイルである。
【００７５】
手順４においては、上記動態的な背景と、元の静態的なデジタル写真は、動画圧縮ユニット０３１４により、ＭＰＥＧフォーマットの動画として圧縮する。ＭＰＥＧ１フォーマットに圧縮する場合は、ＩＳＯ／ＩＥＣ  １１１７２−２の標準仕様に従う。ＭＰＥＧ  ２フォーマットに圧縮する場合は、  ＩＳＯ／ＩＥＣ  １３８１８−２の標準仕様に従う。
【００７６】
手順５においては、初期設定の効果音または使用者が効果音記憶ユニット０３１１に保存されるデジタル効果音ファイルから選んだ効果音を、制御ユニット０３０１によって読取る。
【００７７】
手順６においては、効果音記憶ユニットに保存されるデジタル効果音ファイルと、動画圧縮ユニット０３１４で出力するデジタルファイルと、を混成ユニット０３１５によって、ヘッディングファイルを作ると共に、効果音／影像のあるＭＰＥＧフォーマットのファイルを圧縮し産生する。ＶＣＤフォーマットに圧縮する場合は、ＩＳＯ／ＩＥＣ  １１１７２−１の標準仕様に従う。ＳＶＣＤフォーマットに圧縮する場合は、ＳＪ／Ｔ  １１１９６−１９９８の標準仕様に従う。ＤＶＤフォーマットに圧縮する場合は、  ＩＳＯ／ＩＥＣ  １３８１８−１の標準仕様に従う。
手順７においては、産生するＭＰＥＧフォーマットのファイルをコンパクトディスクに書込まれて光学記憶媒介０２であるビデオディスク０２になるように製作する。このような製作方式においては、ＶＣＤフォーマットの場合はＶｉｄｅｏ  ＣＤ  標準仕様Ｖｅｒｓｉｏｎ  １．１／２．０に従い、  ＳＶＣＤフォーマットの場合はＳＪ／  Ｔ  １１１９６−１９９８システムに従う。また、ＤＶＤと、ＤＶＤ−Ｒと、ＤＶＤ−ＲＡＭと、ＤＶＤ−ＲＷと、を含むＤＶＤフォーマットに関する詳しい説明は、下記  ｈｔｔｐ：／／ｗｗｗ．ｄｖｄｆｏｒｕｍ．ｏｒｇ／ｔｅｃｈ−ｄｖｄｂｏｏｋ．ｈｔｍ．  を参照して下さい。
【００７８】
上記諸手順において、読取りと、逆圧縮と、圧縮と、書き込みとなどの動作は、制御ユニット０３０１により実行する。最初に第一記憶媒介であるメモリカード０１に保存されるデジタル写真は読取られてからＲＡＭ０３０５に一時的に記憶されるが、一般的にＲＡＭ０３０５の記憶容量はメモリカードから読取られるデジタルファイルに対して容量不足の恐れがあるので、  デジタルファイルをメモリカード０１から読み出してコンパクトディスクに圧縮したり書込んだりする際に、時間遅れないように進まなければならない。
【００７９】
手順８においては、制御ユニット０３０１により、全てのデジタル写真はＭＰＥＧフォーマットになるように読取られて圧縮されるか否かを判断する。圧縮されないデジタル写真があれば、この残りのデジタル写真は動画産生ユニット０３１３によって動画になるように産生してから、動画圧縮ユニット０３１４と混成ユニット０３１５によりＭＰＥＧフォーマットになるように圧縮する。
【００８０】
この実施例の一つの応用例として、制御ユニット０３０１はメモリカード１に保存されるデジタル写真を読取ってから上記圧縮を実行する前に、デジタル写真の枚数を予め決める。さらに制御ユニット０３０１によってＭＰＥＧ圧縮過程をチェックしながら、圧縮するようとするデジタルファイルを順に指定して圧縮する。そうすると、全てのファイルは順に圧縮される上に、最終のデジタル写真を圧縮されると、この圧縮と書込み過程は自動的に終了する。
【００８１】
もし全てのデジタルファイルはＭＰＥＧフォーマットに転換しビデオディスク０２に書込まれば、携帯式転写装置０５はバックアップの機能を起動し、手順９と手順１０によって、制御ユニット０３０１でファイルフォーマットに応じディレクトリ（Ｄｉｒｅｃｔｏｒｙ）を作り（例えば、ＤＶＤの場合はＵＤＦフォーマット、ＶＣＤとＳＶＣＤの場合はＩＳＯ９６６０のフォーマット）、メモリカード０１に保存されるデジタルファイルを上記ディレクトリとしてビデオディスク０２に書込んでバックアップする。そうすると、このビデオディスク２はＤＶＤ／ＶＣＤ／ＳＶＣＤプレイヤーで再生できるし、普通のコンピューターでバックアップされるデジタル写真も利用できる。
【００８２】
つまり、本発明である携帯式転写装置は、転換ユニット０３０３によって、第一記憶媒介に保存されるファイルを異なるファイルシステムの間に転換し編集して、第二記憶媒介に書込む装置である。特に、コンピューターを使わなくても簡単にデータをバックアップすることができる。そうすると、第一記憶媒介は繰り返し利用することができる。もちろん、コンピューターシステムに連結する連接モジュール０６０を含む実施例を考えると、本発明である携帯式転写装置は多重機能付きのコンピューター周辺装置として利用することができる。さらに、上記デジタルファイルの圧縮作業と書込み作業は、ウァンクリック（Ｏｎｅ  Ｃｌｉｃｋ）で完成するように設定できる。
【００８３】
また、本発明の一つの応用例として、携帯式転写装置は複数のソースコンパクトディスクにおいての特定なセクションをデジタルビデオファイルになるように編集し直接にコンパクトディスクに書き込んでバックアップする。
【図面の簡単な説明】
【図１】デジタルビデオ編集システムのシステム構造図である。
【図２】読出し装置１０１の操作を表示する説明図である。
【図３】編成装置１０２の操作を表示する説明図である。
【図４】書込み装置１０３の操作方式を表示する説明図である。
【図５】書込み装置１０３のもう一つの操作方式を表示する説明図である。
【図６】デジタルビデオ編成方法の表示図である。
【図７】デジタルビデオ編成方法の表示図である。
【図８】メインプログラムと読出し機能プログラムとの間の操作関係を示す説明図である。
【図９】読出し機能プログラムと編成機能プログラムとの間の操作関係を示す説明図である。
【図１０】書込み機能プログラムの操作を示す説明図である。
【図１１】デジタルビデオ編成システムの操作を示す説明図である。
【図１２】本発明である携帯式転写装置の斜視図である。
【図１３】ファイルシステムとオペレーションシステム、記憶媒介の間の機能関係図である。
【図１４】回路の機能ブロック図である。
【図１５】転換ユニットによりファイルシステムの転換を行うフローチャートである。
【図１６】転写動作を行うフローチャートである。
【図１７】携帯式転写装置の機能ブロック図である。
【図１８】デジタルビデオ編集装置を利用する携帯式転写装置のフローチャートである。
【図１９】デジタルビデオ編集装置を利用する携帯式転写装置のフローチャートである。
【符号の説明】
０１    第一記憶媒介
０２    光学記憶媒介
０５    携帯式転写装置
０１０    読取モジュール
０２０    記録モジュール
０３０    制御モジュール
０４０    入力モジュール
０５０    表示モジュール
０６０    連接モジュール
０７０    ＩＤＥバス
０３０１    制御ユニット
０３０２    検出ユニット
０３０３    転換ユニット
０３０４    比較ユニット
０３０５    ＲＡＭ
０３１１    効果音記憶ユニット
０３１２    影像逆圧縮ユニット
０３１３    動画産生ユニット
０３１４    動画圧縮ユニット
０３１５    混成ユニット
０４０１    電源発動ボタン
０４０２    レコードボタン
０４０３    レコード／検査ボタン
０８    オペレーションシステム
０８１    ファイルシステム
０８２    応用プログラム
０９    記憶媒介
４１〜４４    手順
５１〜５６    手順
１００    オペレーションインターフェース
１０１    読出し装置
１０２    編成装置
１０３    書込み装置
１０４    記録ファイル
２００    バッファーセクション
３０１    インフォメーションセクション
３０２    ファイルセクション
【図１】
2004173227.tif 000003
【図２】
2004173227.tif 000004
【図３】
2004173227.tif 000005
【図４】
2004173227.tif 000006
【図５】
2004173227.tif 000007
【図６】
2004173227.tif 000008
【図７】
2004173227.tif 000009
【図８】
2004173227.tif 000010
【図９】
2004173227.tif 000011
【図１０】
2004173227.tif 000012
【図１１】
2004173227.tif 000013
【図１２】
2004173227.tif 000014
【図１３】
2004173227.tif 000015
【図１４】
2004173227.tif 000016
【図１５】
2004173227.tif 000017
【図１６】
2004173227.tif 000018
【図１７】
2004173227.tif 000019
【図１８】
2004173227.tif 000020
【図１９】
2004173227.tif 000021